【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
第１の主面と前記第１の主面の反対側の第２の主面とを有する熱成形性基材と、
前記熱成形性基材の前記第２の主面に接触し、前記第２の主面と永久的に接着された第１の主面を有するベース層と、を備える多層物品であって、前記ベース層は高分子材料を含むとともに実質的に等方性であり、この高分子材料がポリウレタンを含み、このポリウレタンが３５〜６５重量％の量のハードセグメントを有し、前記ベース層の前記第１の主面は前記熱成形性基材の前記第２の主面に永久的に接着され、かつ共有結合している、多層物品。
【請求項２】
第１の主面と前記第１の主面の反対側の第２の主面とを有する熱成形性基材と、
前記熱成形性基材の前記第２の主面に接触し、前記第２の主面と永久的に接着された第１の主面を有するベース層と、を備える多層物品であって、前記ベース層は高分子材料を含み、この高分子材料がポリウレタンを含み、このポリウレタンが３５〜６５重量％の量のハードセグメントを有し、前記ベース層は前記第１の主面と反対側の第２の主面を有し、前記ベース層の第１の主面及び第２の主面のそれぞれは第１及び第２のそれぞれの対応する形成ウェブの主面の実質上の逆像であり、前記ベース層の第１の主面は前記熱成形性基材の前記第２の主面に永久的に接着され、かつ共有結合している、多層物品。
【請求項３】
第１の主面と前記第１の主面の反対側の第２の主面とを有する熱成形性基材と、
第１の主面と前記第１の主面の反対側の第２の主面とを有するベース層であって、前記ベース層の前記第１の主面は前記熱成形性基材の前記第２の主面に接触して前記第２の表面と永久的に接着され、更に第１の高分子材料を含むベース層と、
第１の主面と前記第１の主面の反対側の第２の主面とを有する透明保護層であって、前記透明保護層の前記第１の主面が前記ベース層の前記第２の主面に接触して前記第２の表面と永久的に接着され、更に第２の高分子材料を含み、この第２の高分子材料がポリウレタンを含み、このポリウレタンが３５〜６５重量％の量のハードセグメントを有する透明保護層と、を備える多層物品であって、
前記ベース層及び前記透明保護層の少なくとも一方が実質上等方性であり、前記熱成形性基材及び前記ベース層の少なくとも一方が着色剤を含み、前記ベース層と前記熱成形性基材との組み合わせが不透明又は半透明である、多層物品。
【請求項４】
第１の主面と前記第１の主面の反対側の第２の主面とを有する熱成形性基材と、
第１の主面と前記第１の主面の反対側の第２の主面とを有するベース層であって、前記ベース層の前記第１の主面が前記第２の主面に接触して前記第２の表面と永久的に接着され、更に第１の高分子材料を含むベース層と、
第１の主面と前記第１の主面の反対側の第２の主面とを有する透明保護層であって、前記透明保護層の前記第１の主面が前記ベース層の前記第２の主面に接触して前記第２の表面と永久的に接着され、更に第２の高分子材料を含み、この第２の高分子材料がポリウレタンを含み、このポリウレタンが３５〜６５重量％の量のハードセグメントを有する透明保護層と、を備える多層物品であって、
前記熱成形性基材及びベース層の少なくとも一方が着色剤を含み、前記ベース層と前記熱成形性基材との組み合わせが不透明又は半透明であり、更に、
ｉ）前記ベース層の前記第１及び第２の主面のそれぞれが、第１及び第２のそれぞれの対応する形成ウェブの主面の実質上の逆像であるか、
ｉｉ）前記透明保護層の前記第１及び第２の主面のそれぞれが、第３及び第４のそれぞれの対応する形成ウェブの主面の実質上の逆像であるか、又は、
ｉｉｉ）ｉ）及びｉｉ）の両方である、多層物品。
【請求項５】
第１の主面と前記第１の主面の反対側の第２の主面とを有する熱成形性基材と、
接着層と、
第１の主面と前記第１の主面の反対側の第２の主面とを有するベース層であって、前記ベース層の前記第１の主面が前記接着層により前記熱成形性基材の前記第２の表面と永久的に接着され、更に第１の高分子材料を含むベース層と、
第１の主面と前記第１の主面の反対側の第２の主面とを有する透明保護層であって、前記透明保護層の前記第１の主面が前記ベース層の前記第２の主面に接触して前記第２の表面と永久的に接着され、更に第２の高分子材料を含むとともに実質上等方性であり、この第２の高分子材料がポリウレタンを含み、このポリウレタンが３５〜６５重量％の量のハードセグメントを有する透明保護層と、を備える多層物品であって、
前記熱成形性基材及びベース層の少なくとも一方が着色剤を含み、前記ベース層と前記熱成形性基材との組み合わせが不透明又は半透明である、多層物品。
【請求項６】
第１の主面と前記第１の主面の反対側の第２の主面とを有する熱成形性基材と、
接着層と、
第１の主面と前記第１の主面の反対側の第２の主面とを有するベース層であって、前記ベース層の前記第１の主面が前記接着層により前記第２の表面と永久的に接着され、更に第１の高分子材料を含むベース層と、
第１の主面と前記第１の主面の反対側の第２の主面とを有する透明保護層であって、前記透明保護層の前記第１の主面が前記ベース層の前記第２の主面に接触して前記第２の表面と永久的に接着され、第２の高分子材料を含み、この第２の高分子材料がポリウレタンを含み、このポリウレタンが３５〜６５重量％の量のハードセグメントを有する透明保護層と、を備える多層物品であって、
前記熱成形性基材及びベース層の少なくとも一方が着色剤を含み、前記ベース層と前記熱成形性基材との組み合わせが不透明又は半透明であり、更に、
ｉ）前記ベース層の前記第１及び第２の主面のそれぞれが、第１及び第２のそれぞれの対応した形成ウェブの主面の実質上の逆像であるか、
ｉｉ）前記透明保護層の前記第１及び第２の主面のそれぞれが、第３及び第４のそれぞれの対応した形成ウェブの主面の実質上の逆像であるか、又は、
ｉｉｉ）ｉ）及びｉｉ）の両方である、多層物品。
【請求項７】
多層物品の製造方法であって、
第１の主面と前記第１の主面の反対側の第２の主面とを有する熱成形性基材であって、前記熱成形性基材の前記第２の主面が反応基を含む熱成形性基材を提供することと、
前記第２の主面及び形成ウェブに硬化性組成物を接触させることによって前記熱成形性基材と前記形成ウェブとの間に配置される前記硬化性組成物の圧延バンクを形成することであって、前記硬化性組成物は硬化性高分子材料前駆体を含み、前記反応基と共有結合を形成するように反応することと、
前記熱成形性基材、前記形成ウェブ、及び前記硬化性組成物のそれぞれの少なくとも一部分を、硬化性組成物の前記少なくとも一部分が前記熱成形性基材と前記形成ウェブとの間に挟まれた状態でニップに通過させることによって硬化性層の前駆体を提供することと、
前記硬化性層前駆体を少なくとも部分的に硬化させることによってポリマー材料を含むベース層を提供することと、を含む方法において、
前記熱成形性基材及びベース層の少なくとも一方が着色剤を含み、前記ベース層と前記熱成形性基材との組み合わせが不透明又は半透明である方法。
【請求項８】
多層物品の製造方法であって、
第１の主面と前記第１の主面の反対側の第２の主面とを有する熱成形性基材を提供することであって、ベース層が前記熱成形性基材の前記第２の主面に接着され、前記ベース層が第１の高分子材料を含むことと、
前記ベース層及び形成ウェブに硬化性組成物を接触させることによって前記ベース層と前記形成ウェブとの間に配置される前記硬化性組成物の圧延バンクを形成することであって、前記硬化性組成物は硬化性高分子材料前駆体を含むことと、
前記熱成形性基材、前記ベース層、前記形成ウェブ、及び前記硬化性組成物のそれぞれの少なくとも一部分を、硬化性組成物の前記少なくとも一部分が前記ベース層と前記形成ウェブとの間に挟まれた状態でニップに通過させることによって硬化性層の前駆体を提供することと、
前記硬化性層前駆体を少なくとも部分的に硬化させることによって第２の高分子材料を含む透明保護層を提供することと、を含む方法。
【請求項９】
多層物品の製造方法であって、
第１の形成ウェブ及び前記第１の形成ウェブに剥離可能に接着されたベース層を提供することであって、前記ベース層は第１の高分子材料を含み、第１の主面と前記第１の主面の反対側の第２の主面とを有することと、
前記ベース層及び第２の形成ウェブに硬化性組成物を接触させることによって前記ベース層と前記第２の形成ウェブとの間に配置される前記硬化性組成物の圧延バンクを形成することであって、前記硬化性組成物は硬化性高分子材料前駆体を含むことと、
前記第１の形成ウェブ、前記ベース層、前記第２の形成ウェブ、及び前記硬化性組成物のそれぞれの少なくとも一部分を、硬化性組成物の前記少なくとも一部分が前記ベース層と前記第２の形成ウェブとの間に挟まれた状態でニップに通過させることによって硬化性層の前駆体を提供することと、
前記硬化性層前駆体を少なくとも部分的に硬化させることによって第２の高分子材料を含む透明保護層を提供することと、
前記ベース層から前記第１の形成ウェブを分離することと、
第１の接着層を前記ベース層の前記第１の主面上に配置することと、
第１の主面と前記第１の主面の反対側の第２の主面とを有する熱成形性基材を提供することと、
前記第１の接着層を前記熱成形性基材の前記第２の主面に永久的に接着することと、を含む方法。
【請求項１０】
前記第１の高分子材料及び前記第２の高分子材料の少なくとも一方がポリウレタンを含む、請求項７〜９のいずれかに記載の方法。
【請求項１１】
前記ポリウレタンが３５〜６５重量％の量のハードセグメントを有する、請求項１０に記載の方法。